(57)【要約】      （修正有）【課題】シンプルな構成で、容易にファンのメンテナンスを行うことができるレンジフードを提供する。【解決手段】加熱調理機の上方の調理空間Ｓ１の蒸気や油煙を吸引して排気ダクトＤへと送るための、加熱調理機の上方に配設されるレンジフード１であって、調理空間Ｓ１側に向かって開口する開口部２１を有し、かつ、排気ダクトＤと接続するフード部２と、フード部２内に収納されたファン３と、フード部の開口部に着脱自在に配設された油捕集部材４と、伸縮自在であり、フード部内でファンを支持する伸縮支持部材５とを有し、ファンは、折り畳み状態の伸縮支持部材によって支持されて、フード部内に収納され、油捕集部材を取り外してフード部の開口部を開放した状態において、折り畳み状態の伸縮支持部材を伸長させることで、ファンが開口部を通じて、調理空間側に移動して露出する構成とする。【選択図】図１
2015200436.tif 000002
【特許請求の範囲】
【請求項１】
加熱調理機の上方の調理空間の蒸気や油煙を吸引して排気ダクトへと送るための、加熱調理機の上方に配設されるレンジフードであって、
前記調理空間側に向かって開口する開口部を有し、かつ、前記排気ダクトと接続するフード部と、
前記フード部内に収納されたファンと、
前記フード部の前記開口部に着脱自在に配設された油捕集部材と、
伸縮自在であり、前記フード部内で前記ファンを支持する伸縮支持部材と、
を有し、
前記ファンは、折り畳み状態の伸縮支持部材によって支持されて前記フード部内に収納され、前記油捕集部材を取り外して前記フード部の前記開口部を開放した状態において、折り畳み状態の前記伸縮支持部材を伸長させることで、前記ファンが前記開口部を通じて前記調理空間側に移動して露出することを特徴とするレンジフード。
【請求項２】
前記油捕集部材がフィルターを含むことを特徴とする請求項１に記載のレンジフード。
【請求項３】
前記ファンは収納ケース内に収納されており、折り畳み状態の前記伸縮支持部材を伸長させることで、前記ファンとともに前記収納ケースが前記開口部を通じて前記調理空間側に移動して露出することを特徴とする請求項１または２に記載のレンジフード。
【発明の詳細な説明】
【技術分野】
【０００１】
本発明は、レンジフードに関する。
【背景技術】
【０００２】
特許文献１には、フード本体と、フード本体に収容されるファンとを有するレンジフードであって、ファンが上下方向に伸縮自在なダクトを介して排気ダクトと接続していることが記載されている。また、特許文献１には、ファン駆動部によってファンをフード本体よりも下方に位置するメンテナンス位置に移動させることができ、この際、ダクトが下方に伸長状態となることが記載されている。さらに、特許文献１には、ファンをメンテナンス位置に移動させることで、ファンのメンテナンスを容易に行うことができることが記載されている。
【先行技術文献】
【特許文献】
【０００３】
【特許文献１】特開2007−322054号公報
【発明の概要】
【発明が解決しようとする課題】
【０００４】
しかしながら、特許文献１のレンジフードは、ファンと接続するダクトの伸縮を介してファンを上下動させているため、ダクトやファン駆動部などの大がかりな装置が必要となり、レンジフードの構造が複雑化してしまうという問題がある。
【０００５】
本発明は、以上のとおりの事情に鑑みてなされたものであり、比較的シンプルな構成で、容易にファンのメンテナンスを行うことができるレンジフードを提供することを課題としている。
【課題を解決するための手段】
【０００６】
上記の課題を解決するために、本発明のレンジフードは、加熱調理機の上方の調理空間の蒸気や油煙を吸引して排気ダクトへと送るための、加熱調理機の上方に配設されるレンジフードであって、前記調理空間側に向かって開口する開口部を有し、かつ、前記排気ダクトと接続するフード部と、前記フード部内に収納されたファンと、前記フード部の前記開口部に着脱自在に配設された油捕集部材と、伸縮自在であり、前記フード部内で前記ファンを支持する伸縮支持部材と、を有し、前記ファンは、折り畳み状態の伸縮支持部材によって支持されて前記フード部内に収納され、前記油捕集部材を取り外して前記フード部の前記開口部を開放した状態において、折り畳み状態の前記伸縮支持部材を伸長させることで、前記ファンが前記開口部を通じて前記調理空間側に移動して露出することを特徴としている。
【０００７】
このレンジフードでは、前記油捕集部材がフィルターを含むことが好ましい。
【０００８】
このレンジフードでは、前記ファンは収納ケース内に収納されており、折り畳み状態の前記伸縮支持部材を伸長させることで、前記ファンとともに前記収納ケースが前記開口部を通じて前記調理空間側に移動して露出することが好ましい。
【発明の効果】
【０００９】
本発明のレンジフードによれば、比較的シンプルな構成で、容易にファンのメンテナンスを行うことができる。
【図面の簡単な説明】
【００１０】
【図１】本発明のレンジフードの一実施形態において、ファンが収納されている状態を例示した断面概要図である。
【図２】（Ａ）は、図１のＦ部における架台の固定構造を例示した斜視図であり、（Ｂ）は、図１のＦ部における架台の固定構造を例示した断面図である。
【図３】（Ａ）は、本発明のレンジフードにおける油捕集部材の一実施形態を例示したの分解斜視図であり、（Ｂ）は、（Ａ）に例示した油捕集部材を組み立てた状態を例示した縦断面図である。
【図４】図１に例示した本発明のレンジフードにおいて、ファンのメンテナンスをする状態を例示した断面概要図である。
【発明を実施するための形態】
【００１１】
図１は、本発明のレンジフードの一実施形態において、ファンが収納されている状態を例示した断面概要図である。
【００１２】
レンジフード１は、加熱調理機（図示していない）の上方に配設されるものであり、加熱調理機（図示していない）の上方の調理空間Ｓ１からの蒸気、油煙、臭気などを吸引して排気ダクトＤへと送るものである。
【００１３】
レンジフード１は、フード部２、ファン３、油捕集部材４および伸縮支持部材５を有している。
【００１４】
フード部２の内部に排気空間Ｓ２が形成されており、この排気空間Ｓ２は調理空間Ｓ１側に向かって開口する開口部２１と連通している。開口部２１の形状、大きさ、配設位置、開口角度などは、ファン３の形態などに応じて適宜設計することができる。また、フード部２の上方には排気ダクトＤが配設されており、内部の排気空間Ｓ２と連通している。さらに、フード部２の上端からは、調理空間Ｓ１側に突出する水平部２２が設けられている。水平部２２は、下面が上側に湾曲しており、調理空間Ｓ１からの上方に昇った蒸気や油煙などがファン３側へ誘導されるように設計されている。
【００１５】
フード部２の内部には、排気ダクトＤと隣接する上面部から下方に垂下する係止片２３が配設されている。この係止片２３の下端には固定つまみ６が配設されている。
【００１６】
ファン３はフード部２内の排気空間Ｓ２に収納されている。具体的には、ファン３は、前方が開口した収納ケース３１の内側に収納されており、この収納ケース３１が、断面略Ｌ字型の架台７の上に設置されている。収納ケース３１は架台７の載置部７１に載置されており、収納ケース３１の後方は架台７の背面部７２に固定されている。また、架台７の背面部７２は、固定つまみ６を介して係止片２３に固定されている。
【００１７】
図２（Ａ）は、図１のＦ部における架台の固定構造を例示した斜視図であり、図２（Ｂ）は、図１のＦ部における架台の固定構造を例示した断面図である。
【００１８】
固定つまみ６は、係止片２３に固定された軸部６１と、この軸部６１の先端に配設されたつまみ部６２を有している。つまみ部６２は、細長の直方体状であり、軸部６１を支軸として右回りおよび左回りに回転させることができる。また、架台７の背面部７２の上端付近には、横長の矩形状に開口する挿入口７３が形成されている。挿入口７３の大きさは、つまみ部６２よりも一回り大きく形成されている。
【００１９】
架台７を係止片２３に固定する場合、固定つまみ６のつまみ部６２の長尺方向が横向きになるように回転させて、架台７の挿入口７３の形状に対応させる。この状態で架台７を移動させて挿入口７３につまみ部６２を挿通させた後、つまみ部６２の長尺方向が縦向きになるように９０°回転させる。回転したつまみ部６２によって挿入口７３の周辺部が係止されるため、架台７全体が固定つまみ６を介して係止片２３に固定される。これによって、ファン３が、フード部２の排気空間Ｓ２内に収納ケース３１とともに安定的に収納される。
【００２０】
フード部２の開口部２１には、油捕集部材４が着脱自在に配設されている。具体的には、フード部２の開口部２１の周囲には、嵌合溝部２４が設けられており、この嵌合溝部２４に油捕集部材４の端部を嵌め込むことで油捕集部材４が配設される。油捕集部材４の形態は特に限定されないが、例えば図３に例示した形態を好ましく採用することができる。
【００２１】
図３（Ａ）は、本発明のレンジフードにおける油捕集部材の一実施形態を例示した分解斜視図であり、図３（Ｂ）は、（Ａ）に例示した油捕集部材を組み立てた状態を例示した縦断面図である。
【００２２】
油捕集部材４は、本体４１とカバー４２とを備えている。
【００２３】
本体４１は、円形の外周縁部４１aと、この外周縁部４１aの内側から突出する円形凸部４１bとを有している。円形凸部４１bには、表裏面を貫通する吸気孔Ｍが複数形成されている。また、円形凸部４１bの中央にはねじなどの固定具Ｅを挿通する第１挿通孔Ｌ１が形成されている。さらに、円形凸部４１bの中央には、周囲よりも一段突出した突出部４１cが形成されている。
【００２４】
カバー４２は、円形表面部４２aと、この円形表面部４２aの外周から裏面側へ延設された円環部４２bを有している。表面部の中央には、ねじなどの固定具Ｅを挿通する第２挿通孔Ｌ２が形成されている。
【００２５】
油捕集部材４は、カバー４２の円形表面部４２aの裏面側を本体４１の円形凸部４１bの表面側に対峙させる。このとき、カバー４２の円形表面部４２aの裏面側と本体４１の円形凸部４１bの突出部４１cとが当接し、第１挿通孔Ｌ１と第２挿通孔Ｌ２の位置が一致する。この状態で、ねじなどの固定具Ｅを第１挿通孔Ｌ１および第２挿通孔Ｌ２に挿通することで、本体４１とカバー４２とが接合して油捕集部材４が組み立てられる。油捕集部材４は、カバー４２の円環部４２bと本体４１の外周縁部４１aとの間に隙間Ｈ１が形成されており、カバー４２の円形表面部４２aの裏面側と本体４１の円形凸部４１b（突出部４１cの周囲）との間に隙間Ｈ２が形成されている。そして、油捕集部材４の本体４１の外周縁部４１aをフード部２の開口部２１の周囲の嵌合溝部２４に嵌め込むことでフード部２の開口部２１に油捕集部材４が配設される。
【００２６】
ファン３の駆動によって調理空間Ｓ１からの油煙などが吸気されると、気体はカバー４２の円環部４２bと本体４１の外周縁部４１aとの間に隙間Ｈ１から油捕集部材４の内側に侵入して吸気孔Ｍを通じて排気空間Ｓ２へと流れ、排気ダクトＤへと排気される。一方、油煙に含まれる油は油捕集部材４に捕捉されるため、ファン３やフード部２の内部などの油汚れが抑制される。
【００２７】
さらに、油捕集部材４は、フィルター（図示していない）を含むことができ、この場合にはより確実に油を捕捉できるため好ましい。なお、油捕集部材４は、図３に例示したような本体４１やカバー４２を備えず、単にフィルターと、フィルターを保持する鋼板のような構造のものであってもよい。
【００２８】
伸縮支持部材５は、一端５１がフード部２の背面側に固定されており、他端５２がファン３が設置された架台７の背面部７２に固定されており、折り畳み状態となっている。すなわち、フード部２内でファン３が折り畳み状態の伸縮支持部材５によって間接的に支持されている。また、伸縮支持部材５は、前後方向に伸縮自在な構造を有しているが、図１に例示したように、架台７の背面部７２が固定つまみ６を介して係止片２３に固定されている場合には伸縮支持部材５を伸縮させることはできない。
【００２９】
図４は、図１に例示した本発明のレンジフードにおいて、ファンのメンテナンスをする状態を例示した断面概要図である。
【００３０】
図４に例示したように、ファンのメンテナンスをする場合には、フード部２から油捕集部材４が取り外され、フード部２の開口部２１が開放される。そして、固定つまみ６のつまみ部６２を９０°回転させて長尺方向を横向きにすることで、挿入口７３の周囲の固定を開放して架台７を係止片２３から離脱させる。続いて、折り畳み状態の伸縮支持部材５を前方へ伸長させて、架台７に載置された収納ケース３１に収納されたファン３を移動させる。これによって、ファン３が開口部２１を通じて調理空間Ｓ１側に移動して露出するため、ファン３の清掃や取り換えなどのメンテナンスを容易に行うことができる。また、このレンジフード１は、例えば特許文献１などで提案されているような伸縮する特殊なダクトなどが不要であり、構造は比較的シンプルである。また、ファン３が収納ケース３１に収納されていることで、伸縮支持部材５の伸縮によるファン３の移動を安定的に行うことができる。なお、伸縮支持部材５は、ファン３を開口部２１よりも調理空間Ｓ１側に露出させることができるように、伸長時の長さ、強度などを適宜設計することができる。
【００３１】
また、ファン３のメンテナンスの終了後は、メンテナンス時とは逆の手順でファン３をフード部２内の排気空間Ｓ２に戻して固定することで収納される。
【００３２】
以上の通り、レンジフード１は、以下の構成を有している。
【００３３】
調理空間Ｓ１側に向かって開口する開口部２１を有し、かつ、前記排気ダクトＤと接続するフード部２。
【００３４】
フード部２内に収納されたファン３。
【００３５】
フード部２の開口部２１に着脱自在に配設された油捕集部材４。
【００３６】
伸縮自在であり、フード部２内でファン３を支持する伸縮支持部材５。
【００３７】
ファン３は、折り畳み状態の伸縮支持部材５によって支持されてフード部２内に収納されている。そして、油捕集部材４を取り外してフード部２の開口部２１を開放した状態において、折り畳み状態の伸縮支持部材５を伸長させることで、ファン３が開口部２１を通じて調理空間Ｓ１側に移動して露出する。
【００３８】
このため、レンジフード１は、比較的シンプルな構成で、容易にファン３のメンテナンスを行うことができる。
【００３９】
本発明のレンジフードは、以上の形態に限定されることはない。例えば、フード部の開口部の向き、伸縮支持部材の配設形態、伸縮の構造などは適宜設計することができる。また、ファンを収納するための収納ケースや架台は必ずしも必要ではなく、ファンをフード部内に固定する手段も適宜設計することができる。さらに、本発明のレンジフードでは、伸縮支持部材の伸縮およびファンの移動は自動または手動で行うことができる。
【符号の説明】
【００４０】
１    レンジフード
２    フード部
２１  開口部
３    ファン
３１  収納ケース
４    油捕集部材
５    伸縮支持部材
Ｓ１  調理空間
Ｄ    排気ダクト
【図１】
2015200436.tif 000003
【図２】
2015200436.tif 000004
【図３】
2015200436.tif 000005
【図４】
2015200436.tif 000006